【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
少なくとも複数色の濃インクと、複数色の淡インクを有するインクジェット記録装置であって、複数色の濃インクを一体的に収容したインクカートリッジと、複数色の淡インクを一体的に収容したインクカートリッジを併設したインクジェット記録装置。
【請求項２】
前記濃インクを収容したインクカートリッジと、淡インクを収容したインクカートリッジを個別的に着脱自在とした請求項1記載のインクジェット記録装置。
【請求項３】
前記濃インクを収容したインクカートリッジがイエロー、シアン、マゼンタインクを収容し、前記淡インクを収容したインクカートリッジがシアン、マゼンタを収容してなる請求項１又は２記載のインクジェット記録装置。
【請求項４】
前記濃インクを収容したインクカートリッジと記録ヘッドとを接続するインク供給口は、前記淡インクを収容したインクカートリッジと接続するインク供給口と隣接して配置されている請求項１記載のインクジェット記録装置。
【請求項５】
前記濃インクを収容したインクカートリッジと記録ヘッドとを接続するインク供給口は、前記淡インクを収容したインクカートリッジと接続するインク供給口とは相反する位置に配置されている請求項１記載のインクジェット記録装置。
【請求項６】
前記濃インクカートリッジと淡インクカートリッジとを記録装置の水平方向に対して上下に配置されるようにした請求項１、４又は５記載のインクジェット記録装置。
【請求項７】
前記濃インクカートリッジと淡インクカートリッジとを記録装置のキャリッジ移動方向に対して垂直方向に配置した請求項１、４又は５記載のインクジェット記録装置。
【請求項８】
前記濃インクカートリッジと淡インクカートリッジとを記録装置のキャリッジ移動方向に並べて配置した請求項１、４又は５記載のインクジェット記録装置。
【請求項９】
前記濃インクカートリッジを記録領域側に配置した請求項１乃至８記載のインクジェット記録装置。
【請求項１０】
前記淡インクカートリッジを記録領域側に配置した請求項１乃至８記載のインクジェット記録装置。
【請求項１１】
同系色のインク毎に吸引可能な吸引手段を設けた請求項１乃至１０記載のインクジェット記録装置。
【請求項１２】
イエローインクについて、淡インクカートリッジと濃インクカートリッジのインク濃度を略同一濃度とした請求項１乃至４記載のインクジェット記録装置。
【請求項１３】
各インクカートリッジ毎に吸引可能な吸引機構を設けた請求項１、５〜８記載のインクジェット記録装置。
【請求項１４】
各インクカートリッジ毎にインクエンド検出機構を配置した請求項１〜１０、１２、１３記載のインクジェット記録装置。
【請求項１５】
前記濃インクカートリッジと淡インクカートリッジを識別する識別手段を有する請求項１〜１０、１２〜１４記載のインクジェット記録装置。
【請求項１６】
前記濃インクカートリッジと淡インクカートリッジの少なくとも一方が装着されていない場合、動作をしないように構成した請求項１〜１０、１２〜１５記載のインクジェット記録装置。
【請求項１７】
交換された未使用のインクカートリッジのみ吸引動作を行うよう構成した請求項１〜１０、１２〜１５記載のインクジェット記録装置。
【請求項１８】
前記各インクカートリッジはインクを吐出する記録ヘッドと一体的に形成されてなる請求項１、３〜１０、１２〜１５記載のインクジェット記録装置。
【請求項１９】
複数色の濃インクを一体的に収容した第1のインクカートリッジと、複数色の淡インクを一体的に収容した第2のインクカートリッジとからなるインクカートリッジ。
【請求項２０】
前記第1のインクカートリッジと第2のインクカートリッジとが分解可能に一体的に形成された請求項１９記載のインクカートリッジ。
【手続補正２】
【補正対象書類名】明細書
【補正対象項目名】００１７
【補正方法】変更
【補正の内容】
【００１７】
(1)  少なくとも複数色の濃インクと、複数色の淡インクを有するインクジェット記録装置であって、複数色の濃インクを一体的に収容したインクカートリッジと、複数色の淡インクを一体的に収容したインクカートリッジを併設したインクジェット記録装置。
(2)  前記濃インクを収容したインクカートリッジと、淡インクを収容したインクカートリッジを個別的に着脱自在とした前記(1)記載のインクジェット記録装置。
(3)  前記濃インクを収容したインクカートリッジがイエロー、シアン、マゼンタインクを収容し、前記淡インクを収容したインクカートリッジがシアン、マゼンタを収容してなる前記(1)又は(2)記載のインクジェット記録装置。
(4)  前記濃インクを収容したインクカートリッジと記録ヘッドとを接続するインク供給口は、前記淡インクを収容したインクカートリッジと接続するインク供給口と隣接して配置されている前記(1)記載のインクジェット記録装置。
(5)  前記濃インクを収容したインクカートリッジと記録ヘッドとを接続するインク供給口は、前記淡インクを収容したインクカートリッジと接続するインク供給口とは相反する位置に配置されている前記(1)記載のインクジェット記録装置。
(6)  前記濃インクカートリッジと淡インクカートリッジとを記録装置の水平方向に対して上下に配置されるようにした前記(1)、(4)又は(5)記載のインクジェット記録装置。
(7)  前記濃インクカートリッジと淡インクカートリッジとを記録装置のキャリッジ移動方向に対して垂直方向に配置した前記(1)、(4)又は(5)記載のインクジェット記録装置。
(8)  前記濃インクカートリッジと淡インクカートリッジとを記録装置のキャリッジ移動方向に並べて配置した前記(1)、(4)又は(5)記載のインクジェット記録装置。
(9)  前記濃インクカートリッジを記録領域側に配置した前記(1)乃至(8)記載のインクジェット記録装置。
(10)  前記淡インクカートリッジを記録領域側に配置した前記(1)乃至(8)記載のインクジェット記録装置。
(11)  同系色のインク毎に吸引可能な吸引手段を設けた前期(1)乃至(10)記載のインクジェット記録装置。
(12)  イエローインクについて、淡インクカートリッジと濃インクカートリッジのインク濃度を略同一濃度とした前記(1)乃至(4)記載のインクジェット記録装置。
(13)  各インクカートリッジ毎に吸引可能な吸引機構を設けた前記(1)、(5)〜(8)記載のインクジェット記録装置。
(14)  各インクカートリッジ毎にインクエンド検出機構を配置した前記(1)〜(10)、(12)、(13)記載のインクジェット記録装置。
(15)  前記濃インクカートリッジと淡インクカートリッジを識別する識別手段を有する前記(1)〜(10)、(12)〜(14)記載のインクジェット記録装置。
(16)  前記濃インクカートリッジと淡インクカートリッジの少なくとも一方が装着されていない場合、動作をしないように構成した前記(1)〜(10)、(12)〜(15)記載のインクジェット記録装置。
(17)  交換された未使用のインクカートリッジのみ吸引動作を行うよう構成した前記(1)〜(10)、(12)〜(15)記載のインクジェット記録装置。
(18)  前記各インクカートリッジはインクを吐出する記録ヘッドと一体的に形成されてなる前記(1)、(3)〜(10)、(12)〜(15)記載のインクジェット記録装置。
(19)  複数色の濃インクを一体的に収容した第1のインクカートリッジと、複数色の淡インクを一体的に収容した第2のインクカートリッジとからなるインクカートリッジ。
(20)  前記第1のインクカートリッジと第2のインクカートリッジとが分解可能に一体的に形成された前記(19)記載のインクカートリッジ。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】